(57)【特許請求の範囲】
【請求項１】
第１のベルマウス（１２）と、
前記第１のベルマウスよりも鉛直方向下方（Ｖ）に隣接する第２のベルマウス（１４）と
を備え、
第１のベルマウスは他の部材に固定された一方側から他方側へと向かう方向に開き、
第２のベルマウスは他の部材に固定された一方側から他方側へと向かう方向に開き、
前記第１のベルマウスの鉛直方向の下端（１６）と、前記下端の前記鉛直方向下方における前記第２のベルマウスの外周面（１４Ｓ）とが協働して液体を前記鉛直方向下方へと導く導水路を呈し、
前記第１のベルマウスの前記下端（１６）は、前記下端の前記鉛直方向下方（Ｖ）における前記第２のベルマウスの上端（１８）よりも前記第２のベルマウスが開く方向とは反対側に位置する、
空気調和機の室外ユニット（１０）。
【請求項２】
第１のベルマウス（１２Ａ）と、
前記第１のベルマウスよりも鉛直方向下方（Ｖ）に隣接する第２のベルマウス（１４Ａ）と
を備え、
第１のベルマウスは他の部材に固定された一方側から他方側へと向かう方向に開き、
第２のベルマウスは他の部材に固定された一方側から他方側へと向かう方向に開き、
前記第１のベルマウスの前記下端（１６Ａ）を基点として、前記下端の前記鉛直方向下方（Ｖ）における前記第２のベルマウスの上端（１８Ａ）よりも前記第２のベルマウスが開く方向とは反対側へと向かって延在する導水部材（２２）を更に備える、空気調和機の室外ユニット（１０Ａ）。
【請求項３】
第１のベルマウス（１２Ａ）と、
前記第１のベルマウスよりも鉛直方向下方（Ｖ）に隣接する第２のベルマウス（１４Ａ）と
を備え、
第１のベルマウスは他の部材に固定された一方側から他方側へと向かう方向に開き、
第２のベルマウスは他の部材に固定された一方側から他方側へと向かう方向に開き、
前記第１のベルマウス（１２Ａ）の前記下端（１６Ａ）の前記鉛直方向下方（Ｖ）における前記第２のベルマウス（１４Ａ）の上端（１８Ａ）を基点として、前記上端の鉛直方向上方（−Ｖ）における前記第１のベルマウスの前記下端よりも前記第１のベルマウスが開く方向側へと向かって延在する導水部材（２４）を更に備える、空気調和機の室外ユニット（１０Ｂ）。
【発明の詳細な説明】
【技術分野】
【０００１】
本発明は、ベルマウスを用いた空気調和機の室外ユニットに関するものである。
【背景技術】
【０００２】
空気調和機の室外ユニット（以下、単に「室外ユニット」とも称する）は、ファンとベルマウスとを備えており、下掲の特許文献１等に開示されている。また、ファン及びベルマウスがそれぞれ上下方向に複数並ぶ態様の室外ユニットが下掲の特許文献２等に開示されている。
【０００３】
室外ユニットが例えば、寒冷地での暖房運転を長時間行うと、各部の部品が外気によって冷やされるので、当該部品の表面に空気中の水分が凝縮・氷結して霜が降りる（着霜する）。室外ユニットに着霜すると、外気と熱媒との熱交換を阻害するので、運転効率が低下する。そこで、下掲の特許文献３，４では着霜した水分の除去及び着霜の抑制を図る技術が提案されている。
【０００４】
室外ユニットには、着霜のみならず、降雨や降雪によって筐体の内部に水滴が浸入することがある。筐体内に浸入した水滴がベルマウスの風路側の面に付着すると、面上で氷結して成長することがあり、ファンと接触して異音を発生させたり、ファンを停止させたりする可能性がある。そこで、下掲の特許文献５−８では筐体の外面からベルマウスの風路側の面（以下、「内周面」とも称する）へと水滴が浸入することを回避又は抑制する技術が提案されている。
【先行技術文献】
【特許文献】
【０００５】
【特許文献１】特開２００９−２０３９８０号公報
【特許文献２】特開２００８−１２８５６３号公報
【特許文献３】特開２００９−０８５４８４号公報
【特許文献４】特開２００９−２８１７１９号公報
【特許文献５】特開平６−３３１１７５号公報
【特許文献６】特開平８−１７８３６５号公報
【特許文献７】特開２００９−２５７６０３号公報
【特許文献８】実開平４−１３２３３６号公報
【発明の概要】
【発明が解決しようとする課題】
【０００６】
図９は空気調和機の室外ユニット９０の斜視図であり、ファン及び当該ファンの周囲に設けられるベルマウスが鉛直方向に二つ並んで配置される室外ユニットを示している。なお、ファン及びベルマウスの図示は省略しているが、これらはフロントグリル３２，３４の位置に対応する位置において室外ユニット９０内に設けられている。また、図１０は室外ユニット９０の要部平面図であり、フロントグリル３２，３４の平面図を示している。また、図１１は従来の室外ユニット９０の要部断面図であり、図１０に示される位置Ａ−Ａにおける断面図である。さらにまた、図１２は従来の室外ユニット９０の要部拡大図であり、図１１に破線の楕円で示される領域Ｂを拡大して示している。
【０００７】
図１２に示すように、鉛直方向に二つ並んで配置されるベルマウス９２，９４のうち、上段のベルマウス９２の下端９２ｂと、下段のベルマウス９４の上端９４ｃとは互いに近接している。したがって、筐体１１の内部に水滴９ｄが浸入した又は、筐体１１の内部で結露した（水滴９ｄが生じた）場合、水滴９ｄが上段のベルマウス９２の面上を伝い落ちる。ここで、水滴９ｄが伝わり落ちる面は、上段のベルマウス９２の内周面９２Ｔのみならず、ベルマウス９２の風路側の面とは反対側の面（以下、「外周面」とも称する）９２Ｓを含む。面９２Ｓ，９２Ｔ上を伝い落ちた水滴９ｄは、直下にある下段のベルマウス９４の上端９４ｃへと伝わることがある。下段のベルマウス９４の上端９４ｃに伝い落ちた水滴９ｄは、下段のベルマウス９４の内周面９４Ｔ上を伝い落ち、氷結することがある。
【０００８】
このように、筐体１１内に浸入した水滴９ｄ又は、筐体１１内で発生した水滴９ｄに対しては、上記特許文献５−８に開示の技術では、内周面９４Ｔ上で氷９ｅが成長することを回避又は抑制することができない。
【０００９】
本発明は、上記課題に鑑み、鉛直方向に複数並んで配置されるベルマウスを有する空気調和機の室外ユニットにおいて、下段のベルマウスの風路内に水滴が浸入することを回避又は抑制する技術を提供することを目的とする。
【課題を解決するための手段】
【００１０】
上記課題を解決すべく、本発明に係る空気調和機の室外ユニットの第１の態様は、第１のベルマウス（１２）と、前記第１のベルマウスよりも鉛直方向下方（Ｖ）に隣接する第２のベルマウス（１４）とを備え、前記第１のベルマウスの鉛直方向の下端（１６）と、前記下端の前記鉛直方向下方における前記第２のベルマウスの外周面（１４Ｓ）とが協働して液体を前記鉛直方向下方へと導く導水路を呈する、空気調和機の室外ユニット（１０）である。
第１のベルマウスは他の部材に固定された一方側から他方側へと向かう方向に開き、第２のベルマウスは他の部材に固定された一方側から他方側へと向かう方向に開く。
【００１１】
そして、前記第１のベルマウスの前記下端（１６）は、前記下端の前記鉛直方向下方（Ｖ）における前記第２のベルマウスの上端（１８）よりも前記第２のベルマウスが開く方向とは反対側に位置する。
【００１２】
本発明に係る空気調和機の室外ユニットの第２の態様は、第１のベルマウス（１２Ａ）と、前記第１のベルマウスよりも鉛直方向下方（Ｖ）に隣接する第２のベルマウス（１４Ａ）とを備える空気調和機の室外ユニット（１０Ａ）である。第１のベルマウスは他の部材に固定された一方側から他方側へと向かう方向に開き、第２のベルマウスは他の部材に固定された一方側から他方側へと向かう方向に開く。
そして前記第１のベルマウス（１２Ａ）の前記下端（１６Ａ）を基点として、前記下端の前記鉛直方向下方（Ｖ）における前記第２のベルマウス（１４Ａ）の上端（１８Ａ）よりも前記第２のベルマウスが開く方向とは反対側へと向かって延在する導水部材（２２）を更に備える。
【００１３】
本発明に係る空気調和機の室外ユニットの第３の態様は、第１のベルマウス（１２Ａ）と、前記第１のベルマウスよりも鉛直方向下方（Ｖ）に隣接する第２のベルマウス（１４Ａ）とを備える空気調和機の室外ユニット（１０Ａ）である。第１のベルマウスは他の部材に固定された一方側から他方側へと向かう方向に開き、第２のベルマウスは他の部材に固定された一方側から他方側へと向かう方向に開く。
そして前記第１のベルマウス（１２Ａ）の前記下端（１６Ａ）の前記鉛直方向下方（Ｖ）における前記第２のベルマウスの上端（１８Ａ）を基点として、前記上端の鉛直方向上方（−Ｖ）における前記第１のベルマウスの前記下端よりも前記第１のベルマウスが開く方向側へと向かって延在する導水部材（２４）を更に備える。
【発明の効果】
【００１５】
本発明に係る空気調和機の室外ユニットによれば、上段のベルマウスから下段のベルマウスの風路内に水滴が浸入することを回避又は抑制できる。もって風路内での結氷を回避又は抑制し、ファンの毀損及び／又は異音発生を回避又は抑制できる。
【００１６】
本発明に係る空気調和機の室外ユニットの第１の態様によれば、上段のベルマウスから下段のベルマウスの風路内に水滴が浸入することを回避又は抑制できる。もって風路内での結氷を回避又は抑制し、ファンの毀損及び／又は異音発生を回避又は抑制できる。
【００１７】
本発明に係る空気調和機の室外ユニットの第２の態様によれば、ベルマウスが鉛直方向成分を有する方向に複数配列する既存の空気調和機の室外ユニットに対して導水部材を設けることにより、上段のベルマウスから下段のベルマウスの風路内に水滴が浸入することを回避又は抑制できる。もって風路内での結氷を回避又は抑制し、ファンの毀損及び／又は異音発生を回避又は抑制できる。
【００１８】
本発明に係る空気調和機の室外ユニットの第３の態様によれば、ベルマウスが鉛直方向成分を有する方向に複数配列する既存の空気調和機の室外ユニットに対して導水部材を設けることにより、上段のベルマウスから下段のベルマウスの風路内に水滴が浸入することを回避又は抑制できる。もって風路内での結氷を回避又は抑制し、ファンの毀損及び／又は異音発生を回避又は抑制できる。
【図面の簡単な説明】
【００２０】
【図１】本発明の実施例１に係る室外ユニットの要部拡大図である。
【図２】本発明の実施例に係るベルマウスの側面図である。
【図３】本発明の実施例２に係る室外ユニットの要部拡大図である。
【図４】本発明の実施例３に係る室外ユニットの要部拡大図である。
【図５】本発明の変形例１に係る室外ユニットの要部拡大図である。
【図６】本発明の変形例２に係る室外ユニットの要部拡大図である。
【図７】本発明の変形例３に係る室外ユニットの要部平面図である。
【図８】図７の要部拡大図である。
【図９】空気調和機の室外ユニットの斜視図である。
【図１０】室外ユニットの要部平面図である。
【図１１】従来の室外ユニットの要部断面図である。
【図１２】従来の室外ユニットの要部拡大図である。
【発明を実施するための形態】
【００２１】
以下、本発明の好適な実施形態について、図面を参照しながら説明する。なお、図１を初めとする以下の図には、本発明に関係する要素のみを示す。
【００２２】
〈実施例１〉
図１は本発明の実施例１に係る室外ユニット１０の要部拡大図であり、図１１の領域Ｂに対応する領域を拡大して示している。ここで、室外ユニット１０は、その外形においては図９に示した室外ユニット９０と同形状を呈するものとし、図９において符号１０を付している。本発明の実施例１に係る室外ユニット１０は、図１に示すように、鉛直方向に沿って隣接する二つのベルマウス１２，１４を備えている。
【００２３】
具体的には、鉛直方向に垂直な第１の方向Ｄ１に向かって開く第１のベルマウス１２と、第１のベルマウス１２よりも鉛直方向下方Ｖに隣接し、鉛直方向に垂直な第２の方向Ｄ２に向かって開く第２のベルマウス１４とを備えている。なお、本実施例１では、第１の方向Ｄ１と第２の方向Ｄ２とが互いに平行を呈する態様を示しているが、互いに非平行であっても良い。
【００２４】
ここで、ベルマウスが開く方向とは、第１のベルマウス１２を例に取れば、第１のベルマウス１２に取付けられるファン（図示省略）の軸（以下、「ベルマウスの軸」とも称する）Ａ１を法線とする面を第１のベルマウス１２の内周面１２Ｔが切取る面積（以下、「断面積」と称する）が、軸Ａ１に沿った方向の端部に至るまで漸次大きくなる方向であって、他の部材に固定されている一方側の端部（本実施例１では後述する「接続部１３ａ」に相当）から、他方側へと向かう方向を示す。また、第１のベルマウス１２の軸Ａ１は、当該第１のベルマウス１２に取付けられるファン（図示省略）の回転軸に等しい。第２のベルマウス１４についても同様に開く方向Ｄ２と軸Ａ２を定義する。なお、本実施例１においては第１の方向Ｄ１と軸Ａ１とが平行を呈し、第２の方向Ｄ２と軸Ａ２とが平行を呈する。
【００２５】
第１のベルマウス１２の第１の方向Ｄ１側の鉛直方向の下端１６と、その鉛直方向下方Ｖにおける第２のベルマウス１４の外周面１４Ｓとが協働して液体を鉛直方向下方Ｖへと導く導水路を呈する。具体例を挙げれば、第１のベルマウス１２の下端１６の鉛直方向下方Ｖに、第２のベルマウス１４の外周面１４Ｓが位置する。つまり、第１のベルマウス１２の下端１６は、その鉛直方向下方Ｖにおける第２のベルマウス１４の上端１８よりも、第２のベルマウス１４が開く方向Ｄ２とは反対側に位置する。換言すれば、第１のベルマウス１２の下端１６の鉛直方向下方Ｖにおける第２のベルマウス１４の上端１８は、下端１６よりも、第２のベルマウス１４が開く方向Ｄ２側に位置する。
【００２６】
より具体的には例えば、図１に示すように、第１のベルマウス１２の第１の方向Ｄ１側の端部たる開口端１５は断面視でおおむね、軸Ａ１（Ａ２）に平行な方向を法線とする面１０Ｓを呈する。かつ、第１のベルマウス１２の下端１６を含むその近傍は、面１０Ｓよりも第１の方向Ｄ１とは反対側へと向かって湾曲する。下端１６は当該近傍において、鉛直方向に沿った高さが極小となる。
【００２７】
ここで、第１のベルマウス１２は例えば、第１の方向Ｄ１とは反対側の端部において接続部１３ａを呈する。この接続部１３ａが、室外ユニット１０が有するフロントグリル３２（図９参照）に接続される。接続部１３ａは、開口端１５から漸次小さくなる断面積が最小となる部位か又は、当該部位を挟んで開口端１５とは反対側に位置する。本実施例１における第１のベルマウス１２の下端１６は、当該部位と開口端１５との間において、鉛直方向に沿った高さが極小を呈する。なお、第２のベルマウス１４は、接続部１３ｂを呈する。接続部１３ｂは、第２のベルマウス１４の第２の方向Ｄ２とは反対側の端部において、フロントグリル３４（図９参照）に接続される。接続部１３ｂは、第２のベルマウス１４の第２の方向Ｄ２側の端部たる上端１８から連なる外周面１４Ｓ及び内周面１４Ｔの鉛直方向に沿った高さが極小となる部位と同じ高さか又は、当該部位を挟んで開口端１７とは反対側に位置する。
【００２８】
このとき、第２のベルマウス１４は例えば、以下のような態様を呈するのが望ましい。すなわち、第２のベルマウス１４の開口端１７がおおむね面１０Ｓを呈する。かつ、第１のベルマウス１２の下端１６の鉛直方向下方Ｖにおいて第２のベルマウス１４の上端１８を含むその近傍は、面１０Ｓよりも第２の方向Ｄ２側へと湾曲する。第２のベルマウス１４がこのような態様を呈することにより、第１のベルマウス１２の下端１６から伝わり落ちる水滴が、第２のベルマウス１４の外周面１４Ｓへと伝わり落ちやすい。
【００２９】
このように、第１のベルマウス１２の下端１６の鉛直方向下方Ｖに、第２のベルマウス１４の外周面１４Ｓが位置する。そのため、第１のベルマウス１２の外周面１２Ｓ及び内周面１２Ｔを伝わり落ちる水滴が、第１のベルマウス１２の下端１６から第２のベルマウス１４の外周面１４Ｓへと落下する。外周面１４Ｓへと落下した水滴は、外周面１４Ｓを伝わり落ちる。したがって、第１のベルマウス１２の下端１６から第２のベルマウス１４の内周面１４Ｔ（風路内）へと水滴が浸入することを回避又は抑制できる。もって、第２のベルマウス１４の風路上での結氷（氷柱の形成）を回避又は抑制できる。ひいては、第２のベルマウス１４の内周側に取付けられるファンの毀損及び／又は異音発生を回避又は抑制することに資する。
【００３０】
〈ベルマウス〉
本実施例１に係る第１のベルマウス１２及び第２のベルマウス１４は、いずれも一のベルマウス３０を採用することによって得ることができる。例えば、図２に示すように、第１のベルマウス１２の軸Ａ１と第２のベルマウス１４の軸Ａ２とを同一にとり、これをベルマウス３０の軸Ｑとする。また、第１の方向Ｄ１と第２の方向Ｄ２とを同一にとり、これをベルマウス３０が開く方向Ｒとする。なお、本実施例においては軸Ｑと方向Ｒとは平行を呈する。
【００３１】
ベルマウス３０の方向Ｒの一方側において、軸Ｑから最も遠離る第１の端部３０Ａが、方向Ｒを法線とする第１の面Ｓ１上に位置する。そして、ベルマウス３０の方向Ｒの一方側において、軸Ｑを中心に第１の端部３０Ａとは反対側で軸Ｑから最も遠離る第２の端部３０Ｂが、方向Ｒを法線とする第２の面Ｓ２上に位置する。つまり、第１の端部３０Ａ及び第２の端部３０Ｂは方向Ｒの一方側に位置し、方向Ｒに沿った平面視では、第１の端部３０Ａと軸Ｑと第２の端部３０Ｂとは略同一直線状に並ぶ。ただし、第１の面Ｓ１と第２の面Ｓ２とは非同一面である。具体的には例えば、第１の面Ｓ１が第２の面Ｓ２よりも方向Ｒ側に位置する。
【００３２】
端的にいえば、ベルマウス３０は、図１で示した第１のベルマウス１２の軸Ａ１を含んで軸Ａ１よりも鉛直方向下方Ｖ側の部位と、第２のベルマウス１４の軸Ａ２よりも鉛直方向上方−Ｖ側の部位とを、方向Ｒの端部同士を揃えて接合することで得られる。
【００３３】
このような形状を呈するベルマウス３０が、次のような条件を満足して鉛直方向に複数取付けられるとき、風路内に水滴が浸入することを回避又は抑制できる。すなわち、ベルマウス３０の第１の端部３０Ａが鉛直方向上方−Ｖ、第２の端部３０Ｂが鉛直方向下方Ｖにそれぞれ位置するように取付ける。かつ、一のベルマウス３０の第１の端部３０Ａを、当該一のベルマウス３０の鉛直方向上方−Ｖに設ける他のベルマウス３０の第２の端部３０Ｂよりも方向Ｒ側に位置するように取付ける。特に、一のベルマウス３０の方向−Ｒ側の端部がなす面Ｓ３が方向Ｒに垂直である場合には、一のベルマウス３０の方向−Ｒ側の端部とこれに鉛直方向で隣接する他のベルマウス３０の方向−Ｒ側の端部とを同一面Ｓ３上に位置するように取付ける。
【００３４】
複数のベルマウス３０がこのような条件を満足して取付けられれば、上段に設けるベルマウス３０から下段に設けるベルマウス３０の風路内に水滴が浸入することを回避又は抑制できる。
【００３５】
〈実施例２〉
ここでは、本発明の実施例２として主に、上記実施例１における第１のベルマウス１２の下端１６から第２のベルマウス１４の外周面１４Ｓへと水滴を導く導水部材を備える態様について、図面を参照しながら説明する。なお、以下の実施例においては、既述の実施例と同様の機能を有する構成については、同一符号を付してその説明を省略する。
【００３６】
図３は本発明の実施例２に係る室外ユニット１０Ａの要部拡大図であり、図１１の領域Ｂに対応する領域を拡大して示している。なお、本実施例２の室外ユニット１０Ａもまた、その外形においては図９に示した室外ユニット９０と同形状を呈するものとし、図９において符号１０Ａを付している。本実施例２に係る室外ユニット１０Ａは、図３に示すように、鉛直方向に沿って隣接する二つのベルマウス１２Ａ，１４Ａと、導水部材２２とを備えている。
【００３７】
第１のベルマウス１２Ａは第１の方向Ｄ１に向かって開き、第２のベルマウス１４Ａは第２の方向Ｄ２に向かって開く。第１のベルマウス１２Ａの第１の方向Ｄ１側の端部たる開口端１５Ａは断面視で、面１０Ｓを呈する。本実施例２では、第２のベルマウス１４Ａの第２の方向Ｄ２側の端部たる開口端１７Ａもまた、断面視で面１０Ｓを呈する。なお、導水部材２２を備える場合には、開口端１７Ａは必ずしも面１０Ｓを呈する必要はなく、面１０Ｓよりも方向−Ｒ側に位置していても良い。
【００３８】
導水部材２２は、第１のベルマウス１２Ａの鉛直方向の下端１６Ａを基点として、第２のベルマウス１４Ａが開く第２の方向Ｄ２とは反対側へと向かって延在する。具体的には、導水部材２２は、第１のベルマウス１２Ａの下端１６Ａから、第２のベルマウス１４Ａの外周面１４Ｓへと向かって延在する。
【００３９】
本実施例２では、導水部材２２の一方側の端部２１が第１のベルマウス１２Ａの下端１６Ａに取付けられてかつ、導水部材２２の他方側の端部２３が第２のベルマウス１４Ａの外周面１４Ｓに接触する態様を示しているが、端部２３の鉛直方向下方Ｖに第２のベルマウス１４Ａの外周面１４Ｓが位置していれば、端部２３は必ずしも外周面１４Ｓに接触する必要はない。
【００４０】
このように、第１のベルマウス１２Ａの下端１６Ａから第２のベルマウス１４Ａの外周面へと向けて導水部材２２が延在する。そのため、第１のベルマウス１２Ａの外周面１２Ｓ及び内周面１２Ｔを伝わり落ちる水滴が、第１のベルマウス１２Ａの下端１６Ａから導水部材２２を介して第２のベルマウス１４Ａの外周面１４Ｓへと伝わり落ちる。したがって、第１のベルマウス１２Ａの下端１６Ａから第２のベルマウス１４Ａの内周面１４Ｔへと水滴が浸入することを回避又は抑制できる。
【００４１】
〈実施例３〉
ここでは、本発明の実施例３として主に、上記実施例２で示した導水部材２２以外の導水部材を備える態様について、図面を参照しながら説明する。
【００４２】
図４は本発明の実施例３に係る室外ユニット１０Ｂの要部拡大図であり、図１１の領域Ｂに対応する領域を拡大して示している。なお、本実施例３の室外ユニット１０Ｂもまた、その外形においては図９に示した室外ユニット９０と同形状を呈するものとし、図９において符号１０Ｂを付している。本実施例３に係る室外ユニット１０Ｂは、図４に示すように、二つのベルマウス１２Ａ，１４Ａと、導水部材２４とを備えている。
【００４３】
導水部材２４は、第１のベルマウス１２Ａの鉛直方向の下端１６Ａの鉛直方向下方Ｖにおける第２のベルマウス１４Ａの上端１８Ａを基点として、上端１８Ａの鉛直方向上方−Ｖにおける第１のベルマウス１２Ａが開く第１の方向Ｄ１へと向かって延在する。具体的には、導水部材２４は、その一端２５が第２のベルマウス１４Ａの上端１８Ａに取付けられ、そこから、第１の方向Ｄ１の成分と、鉛直方向上方−Ｖの成分とを有する方向へと向かって延在する。導水部材２４の一端２５とは反対側の他端２７は、第１のベルマウス１２Ａの下端１６Ａの鉛直方向下方Ｖよりも第１の方向Ｄ１側に位置する。つまり、本実施例３においても、開口端１７Ａは必ずしも面１０Ｓを呈する必要はなく、他端２７が下端１６Ａよりも第１の方向Ｄ１側に突出していれば、開口端１７Ａは面１０Ｓよりも方向−Ｒ側に位置していても良い。
【００４４】
これにより、第１のベルマウス１２Ａの下端１６Ａの鉛直方向下方Ｖには、導水部材２４が位置することになる。そのため、第１のベルマウス１２Ａの外周面１２Ｓ及び内周面１２Ｔを伝わり落ちる水滴が導水部材２４上に落下する。導水部材２４上に落下した水滴は、導水部材２４を介して第２のベルマウス１４Ａの外周面１４Ｓへと伝わり落ちる。
【００４５】
導水部材２４は第２のベルマウス１４Ａの上端１８Ａに取付けられる一端２５を除いて、二つのベルマウス１２Ａ，１４Ａのそれぞれの開口端１５Ａ，１７Ａよりも第１の方向Ｄ１（又は第２の方向Ｄ２）側に位置する。そのため、既存の室外ユニットにおいて複数のベルマウス同士の間の鉛直方向に沿った空隙が僅かな場合であっても、導水部材２４を容易に取付けることができ、下段に取付けられるベルマウスの風路内に水滴が浸入することを回避又は抑制できる。
【００４６】
〈変形例〉
以上、本発明の好適な態様について説明したが、本発明はこれに限定されるものではない。上述の実施例１−３を適宜に組合せても良いし、更に下記の変形例１等を組み合わせても良い。
【００４７】
〈変形例１〉
例えば図５に示すように、第１のベルマウス１２Ａの鉛直方向下方Ｖに隣接する第２のベルマウス１４Ｂが次のような形状を呈していても良い。すなわち、第１のベルマウス１２Ａの鉛直方向の下端１６Ａの、鉛直方向下方−Ｖにおいて、第２のベルマウス１４Ｂの第２の方向Ｄ２側の端部たる開口端１７Ｂは断面視でおおむね面１０Ｓを呈する。そして、第１のベルマウス１２Ａの下端１６Ａの鉛直方向下方Ｖにおける第２のベルマウス１４Ｂの上端１８Ｂが、面１０Ｓよりも第２の方向Ｄ２側へとせり出し、鉛直方向上方−Ｖへと向かって延在する。つまり、第２のベルマウス１４Ｂが、上記実施例３の図４で示した第２のベルマウス１４Ｂに導水部材２４を一体化した形状を呈しても良い。
【００４８】
〈変形例２〉
また、例えば図６に示すように、上記実施例１の図１で示した第１のベルマウス１２と、上記実施例２の図３で示した第２のベルマウス１４Ａとを組合せても良い。
【００４９】
〈変形例３〉
また、上記実施例２で示した導水部材２２（図３参照）に替えて次のような導水部材２２Ａを採用しても良い。図７は本発明の変形例３に係る室外ユニット１０Ｃの要部平面図であり、第１のベルマウス１２Ａ及び第２のベルマウス１４Ａを、第１の方向Ｄ１（及び第２の方向Ｄ２）に沿って開口端１５Ａ，１７Ａ側から、接続部１３ａ，１３ｂへと向けて見たときの平面図を示している。なお、第１のベルマウス１２Ａ及び第２のベルマウス１４Ａのそれぞれに取付けられるファンはともに図示を省略している。また、図８は図７に破線で示した矩形領域Ｃの拡大図である。
【００５０】
図８に示すように、鉛直方向下方Ｖの成分と第１の方向Ｄ１（又は第２の方向Ｄ２）の成分に加えて、両成分に垂直な方向の成分を有する方向（図の紙面で水平な方向）Ｗに導水部材２２Ａが延在する態様であっても良い。図１２で示したように上段のベルマウス９２と下段のベルマウス９４とが鉛直方向に近接して設けられている場合、上記実施例２のように導水部材２２を二つのベルマウス１２Ａ，１４Ａの間に取付けることが困難な場合がある。そこで、導水部材２２Ａを上段に設けられる第１のベルマウス１２Ａの下端１６Ａを基点として、第２のベルマウス１４Ａの上端１８Ａの位置に平面視で対応する位置以外で外周面１４Ｓへと向かって延在するようにしても良い。このような導水部材２２Ａであれば、既存の室外ユニットに導水部材２２Ａを後付けすることにより、下段に設けられる第２のベルマウス１４Ａの内周側に取付けられるファンの毀損及び／又は異音発生を回避又は抑制できる。
【００５１】
上記実施例１−３及び変形例１−３では、第１のベルマウス１２，１２Ａ及び第２のベルマウス１４，１４Ａ，１４Ｂがいずれも鉛直方向に垂直な方向（第１の方向Ｄ１又は第２の方向Ｄ２）に向かって開く態様について説明した。しかし、これらのベルマウス１２，１２Ａ，１４，１４Ａ，１４Ｂが開く方向は必ずしも鉛直方向に垂直である必要はない。
【００５２】
つまり、鉛直方向に垂直な第１の方向Ｄ１又は、第１の方向Ｄ１の成分と鉛直方向下方Ｖ成分とを有する第３の方向に向かって開く第１のベルマウスと、当該第１のベルマウスよりも鉛直方向下方Ｖに隣接し、鉛直方向に垂直な第２の方向Ｄ２又は、第２の方向Ｄ２の成分と鉛直方向下方Ｖ成分とを有する第４の方向に向かって開く第２のベルマウスとを備え、当該第１のベルマウスの鉛直方向の下端と、当該下端の鉛直方向下方Ｖにおける当該第２のベルマウスの外周面とが協働して液体を鉛直下方へと導く導水路を呈するようにしても良い。
【００５３】
また、上記実施例１−３及び変形例１−３では、第１のベルマウス１２，１２Ａの鉛直方向の下端１６，１６Ａの鉛直方向下方Ｖにおける第２のベルマウス１４，１４Ａ，１４Ｂの上端１８，１８Ａ，１８Ｂが、第２のベルマウス１４，１４Ａ，１４Ｂ自身の鉛直方向の上端に等しい態様について説明した。しかし、上端１８，１８Ａ，１８Ｂは必ずしも第２のベルマウス１４，１４Ａ，１４Ｂ自身の鉛直方向の上端である必要はない。換言すれば、第２のベルマウス１４，１４Ａ，１４Ｂ自身の鉛直方向の上端の鉛直方向上方−Ｖに、第１のベルマウス１２，１２Ａの鉛直方向の下端１６，１６Ａが位置している必要はない。
【００５４】
また、上記実施例１−３及び変形例１−３では、第１のベルマウス１２，１２Ａの第１の方向Ｄ１に沿った平面視での大きさと、第２のベルマウス１４，１４Ａ，１４Ｂの第２の方向Ｄ２に沿った平面視での大きさとが互いに略等しい態様について図面を示している。しかし、これらは必ずしも互いに略等しい大きさを呈する必要はない。
【符号の説明】
【００５５】
１０，１０Ａ，１０Ｂ  室外ユニット
１２，１２Ａ  第１のベルマウス
１４，１４Ａ，１４Ｂ  第２のベルマウス
１４Ｓ  外周面
１６，１６Ａ  第１のベルマウスの下端
１８，１８Ａ，１８Ｂ  第２のベルマウスの上端
２２，２４  導水部材
３０  ベルマウス
３０Ａ  第１端部
３０Ｂ  第２端部
Ｓ１  第１面
Ｓ２  第２面
【図１】
0005569127.tif 000002
【図２】
0005569127.tif 000003
【図３】
0005569127.tif 000004
【図４】
0005569127.tif 000005
【図５】
0005569127.tif 000006
【図６】
0005569127.tif 000007
【図７】
0005569127.tif 000008
【図８】
0005569127.tif 000009
【図９】
0005569127.tif 000010
【図１０】
0005569127.tif 000011
【図１１】
0005569127.tif 000012
【図１２】
0005569127.tif 000013